(57)【特許請求の範囲】
【請求項１】
雰囲気に晒され雰囲気に含まれている有機物質の臭気を除去する有機物質除去材において、
（ｉ）グアニジノ基を含有する化合物（少なくとも一部はアミノ酸である）、または、前記グアニジノ基を含有する化合物及びクレアチニンと、（ｉｉ）前記グアニジノ基を含有する化合物以外の塩基性を示す化合物である塩基性物質とを有し、
（ｉｉｉ）前記塩基性物質の添加量は、前記グアニジノ基を含有する化合物に含まれる前記アミノ酸がもつカルボキシル基に対して、そのカルボキシル基に対する化学当量以上とされていることを特徴とする有機物質除去材。
【請求項２】
請求項１において、担体を備えており、（ｉ）前記グアニジノ基を含有する化合物，または、前記グアニジノ基を含有する化合物及びクレアチニンと、（ｉｉ）前記塩基性物質とを、前記担体に担持させて形成されていることを特徴とする有機物質除去材。
【請求項３】
請求項２において、前記担体は多孔性物質、繊維、粒子、紙、布のうちの少なくとも一つであることを特徴とする有機物質除去材。
【請求項４】
請求項１において、（ｉ）前記グアニジノ基を含有する化合物、または、前記グアニジノ基を含有する化合物及びクレアチニンと、（ｉｉ）前記塩基性物質とを、液状物に溶解または分散させて形成されていることを特徴とする有機物質除去材。
【請求項５】
請求項１〜請求項４のうちのいずれか一項において、前記グアニジノ基を含有する化合物は、アルギニン及びその塩類のうちの少なくとも１種であることを特徴とする有機物質除去材。
【請求項６】
請求項１〜請求項５のうちのいずれか一項において、前記グアニジノ基を含有する化合物は、グアニジノ基を含有するアミノ酸のナトリウム塩であることを特徴とする有機物質除去材。
【請求項７】
請求項１〜請求項６のうちのいずれか一項において、前記塩基性物質は、アルカリ金属またはアルカリ土類金属の塩類であることを特徴とする有機物質除去材。
【請求項８】
雰囲気に晒され雰囲気に含まれているアルデヒド類を除去する有機物質除去材を製造する製造方法において、
担体を用意する工程と、
（ｉ）前記グアニジノ基を含有する化合物、または、前記グアニジノ基を含有する化合物及びクレアチニンと、（ｉｉ）前記塩基性物質とを、前記担体に担持させる担持工程とを含むことを特徴とする請求項１〜請求項７のうちのいずれか一項に係る有機物質除去材の製造方法。
【請求項９】
請求項８において、前記担体は多孔性物質繊維、粒子、紙、布のうちの少なくとも一つであることを特徴とする有機物質除去材の製造方法。
【請求項１０】
請求項８または９において、前記担持工程は、（ｉ）前記グアニジノ基を含有する化合物、または、前記グアニジノ基を含有する化合物及びクレアチニンと、（ｉｉ）前記塩基性物質とを含む液状物を用意し、前記液状物と前記担体とを接触させる操作と、その後、前記担体を乾燥させる操作とを含むことを特徴とする有機物質除去材の製造方法。
【請求項１１】
請求項８または９において、前記担持工程は、（ｉ）前記グアニジノ基を含有する化合物、または、前記グアニジノ基を含有する化合物及びクレアチニンを含む第１液状物と、
前記塩基性物質を含む第２液状物とを用意し、
前記第１液状物と前記担体とを接触させると共に、前記第２液状物と前記担体とを接触させる操作と、その後、前記担体を乾燥させる操作とを含むことを特徴とする有機物質除去材の製造方法。
【発明の詳細な説明】
【技術分野】
【０００１】
本発明はアルデヒド類や酢酸等の臭気の要因となり得る有機物質を除去する有機物質除去材に関する。本発明に係る有機物質除去材は、例えば、建築材や家具等から放出される臭気を除去させるのに利用できる。
【背景技術】
【０００２】
近年、住宅建材や家具等から放出される代表的な有機物質であるホルムアルデヒドは、室内空気を汚染させるため、環境上問題となっている。特に、新築した家屋では室内においてアルデヒドの発生が多く、環境面から問題となっている。ホルムアルデヒドは悪臭物質の一つであり、空気中に０．０５ｐｐｍという非常に低い濃度で残留していたとしても、その臭気が感じられ、更に２〜５ｐｐｍ程度となれば、目や人体の気道に強い刺激が与えられ、くしゃみ、咳が出る等し、人体への影響が強くなる。
【０００３】
そこで、従来、特許文献１には、ホルムアルデヒド捕捉機能を有する硫酸アンモニウム等のアンモニウム塩を担持させた捕捉材を住宅工事中の施工床面に敷設し、工事期間中においてホルムアルデヒドの捕捉除去を図るホルムアルデヒドの除去技術が開示されている。
【０００４】
また特許文献２には、ホルムアルデヒドと反応させてホルムアルデヒドを分解除去するアルデヒド捕捉材が開示されている。そして特許文献２では、アルデヒド捕捉材として、活性炭、ゼオライト、セピオライト等の無機系多孔質材料、イミダゾリジノン等のイミダゾール類、シアセチルイミド、フタルイミド等のイミド類、メラミン、シクロヘキシルアミン等のアミン類等が挙げられている。
【０００５】
更に特許文献３には、アミノ酸とｐＨ指示薬を担持した紙を用い、ホルムアルデヒドによって消毒するときの消毒完了時間をｐＨ指示薬の変色により知らせる消毒指示物が開示されている。
【０００６】
また特許文献４には、グアニジノ基を含有する化合物及び／またはクレアチニンを含む有機物質除去材が本出願人により開示されている。
【特許文献１】特開平１１−１２８３２９号公報
【特許文献２】特開２０００−３５６０２２号公報
【特許文献３】特開昭５６−６６２６０号公報
【特許文献４】特開２００４−２７５５２０号公報
【発明の開示】
【発明が解決しようとする課題】
【０００７】
上記した特許文献１〜３に係る技術は、グアニジノ基を含有する化合物、クレアチニンを含有することを開示するものではない。殊に、特許文献１に係る技術は、アンモニウム塩を用い、ホルムアルデヒドと反応させて分解させるものであるが、アンモニウム塩の中で事例として用いられている硫酸アンモニウム塩は一般的には化学肥料によく使用されるものであり、毒性ではないものの、人体に有害である。殊に、室内空間で使用するには問題である。
【０００８】
また、特許文献３に係る技術は、ホルムアルデヒドによって消毒するときの消毒完了時間を知らせるものであり、環境雰囲気に放出されているくホルムアルデヒドを吸着除去して環境雰囲気を良好化させるものではない。
【０００９】
また、特許文献４は、グアニジノ基を含有する化合物及び／またはクレアチニンを含む有機物質除去材であるが、近年における環境の浄化に鑑み、除去効果の更なる改善が要請されている。除去効果の更なる改善を図るためには、グアニジノ基を含有する化合物の担持量を増加させれば良い。しかしながらアルギニン等のグアニジノ基を含有する化合物のコストが高いため、コスト面において不利となる。
【００１０】
本発明は上記した実情に鑑みてなされたものであり、アルデヒド類や酢酸等の臭気の要因となり得る有機物質を更に除去するのに有利であり、殊に、グアニジノ基を含有する化合物及び／またはクレアチニンの配合割合を少なくするときであっても、アルデヒド類や酢酸等の臭気の要因となり得る有機物質を除去するのに有利な有機物質除去材およびその製造方法を提供することを課題とする。
【課題を解決するための手段】
【００１１】
本発明者は、アルデヒド類や酢酸等の臭気の要因となり得る有機物質を除去する有機物質除去材について鋭意開発を進めている。そして、本発明者は、（ｉ）グアニジノ基を含有する化合物（少なくとも一部はアミノ酸である）、または、そのグアニジノ基を含有する化合物及びクレアチニンと、（ｉｉ）そのグアニジノ基を含有する化合物以外の塩基性を示す化合物である塩基性物質とを併有すれば、臭気の要因となり得る有機物質を更に除去するのに有利であること、殊に、（ｉ）グアニジノ基を含有する化合物、または、グアニジノ基を含有する化合物及びクレアチニンの配合割合を少なくするときであっても、臭気の要因となり得る有機物質を除去するのに有利であることを知見し、試験で確認し、本発明を完成させた。
【００１２】
即ち、本発明に係る有機物質除去材は、雰囲気に晒され雰囲気に含まれている有機物質の臭気を除去する有機物質除去材において、（ｉ）グアニジノ基を含有する化合物、または、グアニジノ基を含有する化合物及びクレアチニンと、（ｉｉ）塩基性物質とを有し、
（ｉｉｉ）塩基性物質の添加量は、グアニジノ基を含有する化合物に含まれるアミノ酸がもつカルボキシル基に対して、そのカルボキシル基に対する化学当量以上とされていることを特徴とするものである。
【００１３】
本発明に係る有機物質除去材の製造方法は、雰囲気に晒され雰囲気に含まれているアルデヒド類を除去する有機物質除去材を製造する製造方法において、担体を用意する工程と、（ｉ）グアニジノ基を含有する化合物、または、グアニジノ基を含有する化合物及びクレアチニンと、（ｉｉ）塩基性物質とを担体に担持させる担持工程とを含み、本発明に係る有機物質除去材を形成することを特徴とするものである。本発明に係る有機物質除去材によれば、（ｉ）グアニジノ基を含有する化合物、または、グアニジノ基を含有する化合物及びクレアチニンと、（ｉｉ）塩基性物質とを併有しており、更に、（ｉｉｉ）塩基性物質の添加量は、グアニジノ基を含有するアミノ酸のカルボキシル基に対して、カルボキシル基のモル数と同モル数以上とされているため、後述する試験例として示すように、アルデヒド類、酢酸等の臭気の要因となる有機物質を除去できる。
【発明の効果】
【００１４】
本発明によれば、アルデヒド類、酢酸等の臭気の要因となる有機物質を除去するのに有利な有機物質除去材およびその製造方法を提供することができる。殊に、グアニジノ基を含有する化合物やクレアチニンの配合割合を少なくするときであっても、アルデヒド類、酢酸等の臭気の要因となる有機物質を除去することができる。
【発明を実施するための最良の形態】
【００１５】
グアニジノ基を含有する化合物としては、アルギニン及びその塩類のうちの少なくとも１種とすることができる。そしてグアニジノ基を含有する化合物はカルボキシル基をもつアミノ酸を少なくとも一部に含む。例えば、アルギニン及びアルギニン−グルタミン酸塩のうちの一方を用いても良いし、双方を用いても良い。アルギニンの塩類としては、その炭酸塩、塩酸塩、硝酸塩、リン酸塩、硫酸塩、ナトリウム塩、カリウム塩等も含まれる。アルギニン−グルタミン酸塩としては、Ｌ−アルギニンＬ−グルタミン酸塩が挙げられる。因みに、文献（化学辞典  東京化学同人社）によれば、アルギニンは２−アミノ−５−グアニジノ吉草酸とされている。従って、グアニジノ基を含有する化合物としては、グアニジノ基を含有するアミノ酸のナトリウム塩が挙げられる。
【００１６】
上記したグアニジノ基含有化合物は、飲食品としても使用されており、幼児等が誤まって舐めたときであっても、安全である。なお、従来技術に係る特許文献１で使用されているアンモニウム塩は一般的に人体に対して有害であり、更にアンモニウム塩として記載されている硫酸アンモニウムは、化学肥料にもよく使用されるものであり、毒物ではないにしろ、人体に対して有害である。アルデヒド類は、一般的には、グアニジノ基を含有する化合物と反応してシッフ塩基を生成するものである。
【００１７】
なお、グアニジノ基は下記の式１に示されている。アルギニンは下記の式２に示されている。グアニジンは下記の式３に示されている。クレアチニンは下記の式４に示されている。
【００１８】
【化１】
0005174326.tif 000002
【００１９】
【化２】
0005174326.tif 000003
【００２０】
【化３】
0005174326.tif 000004
【００２１】
【化４】
0005174326.tif 000005
塩基性物質としては、アルカリ金属またはアルカリ土類金属の塩類（水酸化物、炭酸水素塩、炭酸塩、リン酸水素塩、リン酸塩等）が挙げられる。例えば、炭酸ナトリウム、炭酸水素ナトリウム、水酸化ナトリウム、水酸化カルシウムなどが例示される。（ｉ）グアニジノ基を含有する化合物、または、グアニジノ基を含有する化合物およびクレアチニンと、（ｉｉ）塩基性物質とを、担体に担持させて形成されている形態を例示できる。
【００２２】
なお、塩基性物質は前述したグアニジノ基を含有する化合物以外の塩基性を示す化合物である。
塩基性物質の添加量としては、グアニジノ基を含有するアミノ酸のカルボキシル基に対して、カルボキシル基のモル数と同モル数以上とする。この場合、アミノ酸と塩基性物質との塩となっても、更に余剰の塩基性物質が存在するため、その余剰の塩基性物質により、酢酸などの酸性ガスの除去が期待される。
【００２３】
担体は、（ｉ）グアニジノ基を含有する化合物、または、グアニジノ基を含有する化合物，及びクレアチニンと、（ｉｉ）塩基性物質とを担持できるものであれば良い。従って、担体は多孔性物質、繊維、粒子、紙、布（織物布、不織布）のうちの少なくとも一つであれば良い。担体としては、その形状としては、紙等のシート状でも、板状でも、ハニカム状、顆粒状、粉末状のいずれでも良い。なお、紙としては、洋紙紙、和紙紙でも良いし、紙の成分は天然パルプ主体のものでも、合成パルプ主体のものでも良い。シート等の担体に担持させれば、室内に敷いたり、掛けたり、貼り合わせたりできる。また家具等の引き出し、包装箱内に収容しておくこともできる。担体をハニカム構造体としたときには、アルデヒド類等の臭気の要因となる有機物質の除去可能なフィルタ装置としても使用できる。
【００２４】
上記した担体として、前述したように、多孔質性をもつ担体を例示できる。この場合、担体としては、活性炭、粘土鉱物である形態を採用することができる。活性炭としては、植物（木材、木炭、素灰、パルプなど）を原料としたものでも、鉱物（泥炭、草炭、亜炭、褐炭、無煙炭、コークス、コールタール、石炭ピッチ、石油ピッチなど）を原料としたものでも、合成素材（フェノール、アクリル樹脂など）などを原料としたもの、天然素材（海草、再生レーヨンなど）などを原料としたものでも良い。
【００２５】
多孔質の粘土鉱物としては、含水珪酸マグネシウム質粘土鉱物等の含水珪酸塩系粘土鉱物を例示できる。含水珪酸塩系粘土鉱物としては、具体的には、セピオライト、アタパルジャイト、ゼオライト、ラフリナイト、ファルコンドアイト、パリゴルスカイトのうちの少なくとも１種を主要成分とすることができ、これらは微細な多数の細孔を有する。含水珪酸マグネシウム質粘土鉱物としては、マグネシウムや珪素の一部がアルミニウム、鉄、ニッケル、ナトリウム等で置換されている形態も含む。
【００２６】
上記した活性炭や粘土鉱物自体もアルデヒド類の除去能を有するが、（ｉ）グアニジノ基を含有する化合物、または、グアニジノ基を含有する化合物及びクレアチニンと、（ｉｉ）塩基性物質と併用すれば、アルデヒド類の除去能の向上を期待できる。粘土鉱物はそれ自体がバインダ機能を有することが多いため、別のバインダを用いずとも良い。但し必要に応じて、別のバインダ（例えば有機バインダ、無機バインダ）を配合することもできる。上記した多孔質の粒子状の担体としては活性炭、ケイソウ土、活性白土、アルミナ、シリカゲル等のうちの少なくとも１種の多孔質の粒子状の担体を用いることもできる。粘土鉱物等の担体は粒状であり、平均粒径が例えば３０μｍ以下、２０μｍ以下のもの、１０μｍ以下、５μｍ以下、１μｍ以下のものを採用できる。よって粘土鉱物等の担体は一般的には粉末粒子状、殊に微粉末粒子状で用いることができる。なお粘土鉱物等の担体の粉砕は、ミキサー、ボールミル、振動ミル、ハンマーミル等の公知の粉砕手段を用いて、湿式粉砕、乾式粉砕とすることができる。
【００２７】
本発明に係る有機物質除去材によれば、アルデヒド類等の臭気の要因となる有機物質の除去性能を発揮することを考慮すると、担体を１００質量部とするとき、グアニジノ基を含有する化合物、または、グアニジノ基を含有する化合物及びクレアチニンの担持量としては、特に限定されるものではないが、０．０１〜１００質量部、好ましくは、０．１〜８０質量部、より好ましくは、１〜５０質量部が挙げられるが、これらに限定されるものではない。
【００２８】
また、アルデヒド類等の臭気の要因となる有機物質の除去性能を発揮することを考慮すると、グアニジノ基を含有する化合物、または、グアニジノ基を含有する化合物及びクレアチニンを１モルとするとき、本発明に係る有機物質除去材における塩基性物質の配合割合としては、０．１〜１０モル、好ましくは０．５〜５モル、より好ましくは１〜５モル、更に好ましくは０．５〜３モルが挙げられるが、これらに限定されるものではない。塩基性物質の配合割合が少ないと、臭気除去効果が低減する。
【００２９】
本発明に係る有機物質除去材（臭気除去材、アルデヒド類除去材）によれば、（ｉ）グアニジノ基を含有する化合物、または、グアニジノ基を含有する化合物及びクレアチニンと、（ｉｉ）塩基性物質とを、液状物に溶解または分散させて形成されている形態が例示される。液状物としては、グアニジノ基を含有する化合物、クレアチニン、塩基性物質を溶解または分散できるものであればよく、有機溶媒、無機溶媒を採用でき、具体的には、水、アルコール、エーテル、及びそれらの混合溶媒の公知の溶媒や分散媒を例示できる。
【００３０】
本発明に係る有機物質除去材の製造方法としては、（ｉ）グアニジノ基を含有する化合物、または、グアニジノ基を含有する化合物及びクレアチニンと、（ｉｉ）塩基性物質とを担体に担持させる担持工程を含む。この場合、液状物とを用意する。液状物は、（ｉ）グアニジノ基を含有する化合物、または、グアニジノ基を含有する化合物及びクレアチニンと、（ｉｉ）塩基性物質とを含む。そして当該液状物と担体とを接触させる操作と、その後、担体を乾燥させる操作とを行うことができる。当該液状物と担体とを接触させるとき、担体が多孔質体等のように吸液性（吸水性）を有すれば、当該液状物の全部、あるいは、ほとんど全部を吸収することができ、更に水分を乾燥処理で蒸散できるため、担持量が把握される。
【００３１】
また本発明に係る有機物質除去材の製造方法としては、（ｉ）グアニジノ基を含有する化合物、または、グアニジノ基を含有する化合物及びクレアチニンを含む第１液状物と、（ｉｉ）塩基性物質を含む第２液状物とを用意し、第１液状物と担体とを接触させると共に第２液状物と担体とを接触させる操作と、その後、担体を乾燥させる操作とを行うことができる。
【００３２】
ここで、アルデヒド類等の臭気の要因となる有機物質の除去性能を良好に確保すべく、グアニジノ基を含有する化合物を含む液状物の濃度としては、液状物の全体を１００％としたとき、質量比で、例えば０．１〜５０％、０．５〜４０％、１〜２０％とすることができる。
【００３３】
当該液状物の濃度が過剰に少ないと、担持量が少なくなり、アルデヒド類等の臭気の要因となる有機物質の除去性能が充分に発揮されず、除去に時間を要する。また、当該液状物の濃度が過剰に多いと、偏析した状態で担持され、アルデヒド類等の臭気の要因となる有機物質の除去性能が充分に発揮されなくなる。
【００３４】
当該液状物の濃度が過剰に少ないと、担持量が少なくなり、アルデヒド類等の臭気の要因となる有機物質の除去性能が充分に発揮されず、除去に時間を要する。当該液状物の濃度が過剰に多いと、偏析した状態で担持され、アルデヒド類等の臭気の要因となる有機物質の除去性能が充分に発揮されなくなる。この点を考慮して、塩基性物質を含む液状物としては、液状物の全体を１００％としたとき、質量比で、例えば０．５〜４０％、０．５〜４０％、１〜２０％とすることができる。
【００３５】
本発明によれば、グアニジノ基を含有する化合物は、他のアミノ酸類と併せて用いることもできる。他のアミノ酸類としては、中性アミノ酸、酸性アミノ酸、塩基性アミノ酸のいずれでも良い。また脂肪族アミノ酸、芳香族アミノ酸のいずれでも良い。具体的には、脂肪族アミノ酸としては、グリシン、アラニン、リシン（Ｌーリシン）、システイン、セリン、ヒドロキシリシン、それらの塩類のうちの少なくとも１種が例示される。芳香族アミノ酸としては、チロシン、フェニルアラニン、トリプトファン、２，３，４−アミノ安息香酸、３，４，５−アミノサリチル酸等を用いることができる。
【００３６】
（実施形態１）
以下、請求項１に係る本発明の実施形態１について図１を参照して説明する。臭気除去材として機能する有機物質除去材１は、ホルムアルデヒドを含有するかあるいは発生させる雰囲気に含まれているホルムアルデヒドを除去可能な吸着部材として機能する紙を担体とするシート２に、グアニジノ基を含有するグアニジノ基含有化合物および塩基性物質（炭酸ナトリウム）の双方を担持させて形成されている。シート２は表出面積を有しており、建築物の空間や、床壁、天井壁等の壁に設置したり、家具に収容可能となっている。
【００３７】
本実施形態ではグアニジノ基含有化合物は、アルギニンまたはアルギニン塩酸塩とされている。アルデヒド類等の臭気の要因となる有機物質の除去性能を良好に確保すべく、グアニジノ基含有化合物の担持量としては、有機物質除去材１の全体質量（担体＋グアニジノ基含有化合物＋塩基性物質）を１００％としたとき、質量比で１〜４０％、２〜２０％、あるいは、３〜１０％とされているが、これに限定されるものではない。塩基性物質の担持量としては、有機物質除去材１の全体質量（担体＋グアニジノ基含有化合物＋塩基性物質）を１００％としたとき、質量比で１〜４０％、３〜２０％、あるいは、３〜１０％とされているが、これに限定されるものではない。残部がシート２の紙部分となる。
【００３８】
このようにすれば、住宅室内や家具収納・梱包内等の低濃度（例えば０．００１ｐｐｍ〜２００ｐｐｍ、０．０１ｐｐｍ〜２０ｐｐｍ）のアセトアルデヒド、ホルムアルデヒド等のアルデヒド類を除去することができる。
【００３９】
製造にあたり、グアニジノ基を含有するグアニジノ基含有化合物と塩基性物質とを水（液状物）に溶解させた溶液と、シート２とを浸漬等により接触させる。その後、シート２を乾燥させることにより形成できる。このようにすれば、住宅室内や家具収納・梱包内等の低濃度のホルムアルデヒド等のアルデヒド類、酢酸等の臭気の要因となる有機物質を除去することができる。
【００４０】
グアニジノ基含有化合物および塩基性物質を含む溶液をシート２に吸収させた後、乾燥させれば、水分が蒸発するので、グアニジノ基含有化合物の担持量および塩基性物質の担持量が把握される。なお、シート２に吸着された有害なホルムアルデヒド（ＨＣＨＯ）は、アミノ酸（アミノ基：−ＮＨ２）と反応し、ホルムアルデヒドとしては実質的に残っていない。上記したシート２の担体は紙質であるため、使用後には、焼却廃棄が容易である。
【００４１】
（参考形態１，実施形態２は欠番）
本発明の参考形態１について説明する。参考形態１は図１に示す実施形態１と基本的には同様の構成と効果を有する。本参考形態ではグアニジノ基含有化合物は、グアニジンまたはグアニジン炭酸塩とされている。塩基性物質としては、炭酸ナトリウムとされている。アルデヒド類等の臭気の要因となる有機物質の除去性能を良好に確保すべく、グアニジノ基含有化合物の担持量としては、有機物質除去材１の全体質量を１００％としたとき、質量比で１〜５０％、殊に２〜３０％、５〜２０％とされているが、これに限定されるものではない。塩基性物質の担持量としては、有機物質除去材１の全体質量を１００％としたとき、質量比で１〜５０％、殊に２〜３０％、５〜２０％とされているが、これに限定されるものではない。このようにすれば、住宅室内や家具収納・梱包内等の低濃度のホルムアルデヒド等のアルデヒド類、酢酸を除去することができる。
【００４２】
（実施形態３）
請求項１に係る本発明の実施形態３について図２を参照して説明する。実施形態３は実施形態１と基本的には同様の構成と効果を有する。ホルムアルデヒドを除去可能な主吸着部材として機能する微小粒状の多孔質材を担体３（図２参照）とし、グアニジノ基を含有するグアニジノ基含有化合物と、塩基性物質とをこの担体３に担持させることにより、本実施形態に係る有機物質除去材１Ｃ（臭気除去材）として形成されている。
【００４３】
本実施形態ではグアニジノ基含有化合物はアルギニン、または、アルギニン塩酸塩（Ｌ−アルギニン、Ｌ−グルタミン酸塩）とされている。塩基性物質としては炭酸ナトリウムとされている。多孔質の微小粒状をなす担体３としては、活性炭、あるいは、多孔質の粘土鉱物を採用できる。
【００４４】
粘土鉱物としては、含水珪酸マグネシウム質粘土鉱物等の含水珪酸塩系粘土鉱物を採用できる。上記した含水珪酸塩系粘土鉱物としては、具体的には、セピオライト、アタパルジャイト、ゼオライト、ラフリナイト、ファルコンドアイト、パリゴルスカイトのうちの少なくとも１種を主要成分とすることができ、これらは微細な多数の細孔を有する。このようにすれば、住宅室内や家具収納・梱包内等の低濃度のホルムアルデヒド等のアルデヒド類、酢酸等の臭気の要因となる有機物質を除去することができる。
【００４５】
（実施形態４）
請求項１に係る本発明の実施形態４について図３、図４を参照して説明する。本実施形態は実施形態１と基本的には同様の構成と効果を有する。前記したグアニジノ基を含有するグアニジノ基含有化合物および塩基性物質を担持した微小粒状の多孔質材である多数の担体３（図３参照）を、紙製のシート２に分散させて付着させることにより、本実施形態に係る有機物質除去材１Ｄは形成されている。
【００４６】
製造にあたり、図４に示すように、微小粒状の多孔質材である多数の担体３（例えば活性炭または粘土鉱物）とパルプ（シート形成物質）とを水に分散させたスラリー状混合物１００を形成する。そしてスラリー状混合物１００をメッシュ状の抄紙部材１１０の上面に供給する。スラリー状混合物１００に含まれている水は、抄紙部材１１０から下方に落下するが、スラリー状混合物１００に含まれている固形物（微小粒状の多孔質材である多数の担体３やパルプ）は、抄紙部材１１０に堆積する。即ち、抄紙処理が行われ、連続シート１２０が形成される。連続シート１２０を抄紙部材１１０から剥離させると共に、連続シート１２０を乾燥させる。
【００４７】
その後、グアニジノ基含有化合物および塩基性物質（炭酸ナトリウム）を水に溶解または分散させた液状物１４０を連続シート１２０に接触させて含浸させる。ここで、連続シート１２０は乾燥されているため、液状物１４０が乾燥状態の連続シート１２０に接触すると、液状物１４０は連続シート１２０の内部に含浸し易い。このようにしてグアニジノ基を含有する化合物を担持した微小粒状の多孔質材である多数の担体３を紙製のシート２に分散させて付着させた有機物質除去材１Ｄは形成されている。このように微小粒状の多孔質材である多数の担体３を利用すれば、表出面積を増加できるため、グアニジノ基を含有する化合物および塩基性物質の担持量を高めるのに有利となる。このようにすれば、住宅室内や家具収納・梱包内等の低濃度のホルムアルデヒド等のアルデヒド類、酢酸等の臭気の要因となる有機物質を除去することができる。
【００４８】
（実施形態５）
請求項１に係る本発明の実施形態５について図５を参照して説明する。本実施形態は実施形態１と基本的には同様の構成を有し、基本的には同様の作用効果を有する。但し、有機物質除去材１Ｅは、グアニジノ基を含有する化合物（アルギニン）および塩基性物質（炭酸ナトリウム）を液状物（一般的には水またはアルコール類）に溶解させて形成されている。アルデヒド類等の臭気の要因となる有機物質の除去性能を良好に確保すべく、グアニジノ基を含有する化合物（アルギニン）の濃度としては、液状の有機物質除去材１Ｅの全体を１００％としたとき、質量比で、１〜４０％、２〜２０％、３〜１０％に設定されている。また塩基性物質の濃度としては質量比で１〜４０％、２〜２０％、３〜１０％に設定されている。
【００４９】
使用の際には、液状の有機物質除去材１Ｅを、表出面積が大きい紙等の担体に刷毛塗り、スプレー塗布等により付着させる。このようにすれば、住宅室内や家具収納・梱包内等の低濃度のホルムアルデヒド等のアルデヒド類、酢酸等の臭気の要因となる有機物質を除去することができる。
【００５０】
（実施形態６）
請求項１に係る本発明の実施形態６について図６を参照して説明する。本実施形態は実施形態３と基本的には同様の構成を有し、基本的には同様の作用効果を有する。多数の粒状の有機物質除去材１Ｃを樹脂バインダまたは無機バインダで固結させたバルク体１Ｈを形成している。このようにすれば、住宅室内や家具収納・梱包内等の低濃度のホルムアルデヒド等のアルデヒド類、酢酸等の臭気の要因となる有機物質を除去することができる。
【実施例１】
【００５１】
以下、請求項１に係る本発明の実施例１を具体的に説明する。本実施例によれば、グアニジノ基含有化合物としてアルギニンを用い、塩基性物質として炭酸ナトリウムを用い、担体として活性炭（平均粒径：１０μｍ、含水率：約２．５質量％）を用い、有機物質の除去量を調べた。
【００５２】
本実施例によれば、質量比でアルギニンを７％および炭酸ナトリウムを８．５％を水に溶解させた溶液（２０００ｇ）と、活性炭（２０５０ｇ）とを混ぜながらミキサー（ヘンシェルミキサー株式会社製）で３０秒間混合した。全部の溶液は活性炭に吸収された。その混合物を８０℃で２４時間乾燥して水分を蒸散させて乾燥物を得、その乾燥物を粉砕機（バンタムミル）で解砕した後、振動ふるいで１５０μｍ以下に選別したものを、実施形態１に係るサンプルとして得た。
【００５３】
比較例として、質量比でアルギニンを７％を含む溶液（炭酸ナトリウムを含まない溶液，２０００ｇ）と活性炭（２０５０ｇ）とを実施形態１と同様に混ぜながらミキサーで混合した。その混合物を８０℃で２４時間乾燥して乾燥物を得、その乾燥物を粉砕機で解砕し、サンプルを形成した。
【００５４】
そして、６５０ｐｐｍのアセトアルデヒドを装入したガスバック内にサンプルを放置し、２４時間後のガスバック内のアセトアルデヒドの濃度を求め、これによりサンプルによるアセトアルデヒドの吸着量を求めた。ガスバックの周辺のアセトアルデヒドの濃度は０．１ｐｐｍであった。更に、有機物質として、ホルムアルデヒド、酢酸についても同様に試験した。
【００５５】
表１はアセトアルデヒドの吸着量の試験結果を示す。表１に示すように、アルギニンおよび炭酸ナトリウムの双方を活性炭に担持させた場合には、同量のアルギニンを活性炭に担持させた場合（炭酸ナトリウムが担持されていない）に比較して、吸着量が高く、約１．７倍であった（１．０９／０．６５９≒１．７）。
【００５６】
また、アルギニン７％および炭酸ナトリウム８．５％の双方を活性炭に担持させた場合は、アルギニンのみを１５％と多量に活性炭に担持させた場合とほぼ同等の吸着量であった。このようにアルギニンおよび炭酸ナトリウムの双方を活性炭に担持させれば、吸着性能を維持しつつ、活性炭におけるアルギニン自体の担持量を低減させることができる。その理由としては、炭酸ナトリウム（塩基性物質）がアミノ酸のカルボキシル基と反応し、アルデヒドとの反応基であるアミノ基が分散して有効に働くためと推察される。一般的には、炭酸ナトリウムのコストに比較してアルギニンのコストは高い（例えば１５〜２０倍）。このため、アルギニン自体の担持量を低減させることは、コスト低減において有利である。
【００５７】
【表１】
0005174326.tif 000006
また表２は悪臭の一種である酢酸の吸着量を示す。表２に示すように、多孔質性をもつ担体である活性炭のみを用いた場合には、吸着量は少なかった。これに対してアルギニンおよび炭酸ナトリウムの双方を活性炭に担持させた場合には、アルギニンのみを活性炭に担持させた場合に比較して、吸着量が３倍程度（６１．３／２０．６≒３）であった。このように酢酸を除去できることから、家庭内で発生する脂肪酸の臭気（酢酸、蟻酸、プロピオン酸、イソ吉草酸等）に対しても、除去効果を期待できる。塩基性物質と脂肪酸が中和反応し、臭気を除去できると考えられるためである。
【００５８】
【表２】
0005174326.tif 000007
［参考例１（実施例２は欠番］
本発明の参考例１として、クレアチニンを用い、塩基性物質として炭酸ナトリウムを用い、担体として活性炭（平均粒径：約１０μｍ，含水率：約２．５質量％）を用い、アセトアルデヒド、ホルムアルデヒド、酢酸の除去量をそれぞれ調べた。この試験では、質量比で、クレアチニンを７％および炭酸ナトリウムを８．５％を含む溶液（２０００ｇ）と、活性炭（２０５０ｇ）とを混ぜながらミキサーで混合した。その混合物を８０℃で２４時間乾燥して水分を蒸散させて乾燥物を得、その乾燥物を粉砕機で解砕し、実施形態２に係るサンプルを形成した。
【００５９】
比較例として、質量比でクレアチニンを７％を含む溶液（２０００ｇ）と活性炭（２０５０ｇ）とを混ぜながら実施例２と同様にミキサーで混合した。その混合物を８０℃で２４時間乾燥して水分を蒸散させて乾燥物を得、その乾燥物を粉砕機で解砕し、サンプルを形成した。そして、６５０ｐｐｍのアセトアルデヒドを装入したガスバック内にサンプルを放置し、２４時間後のガスバック内のアセトアルデヒドの濃度を求め、これによりサンプルによるアセトアルデヒドの吸着量を求めた。ガスバックの周辺のアセトアルデヒドの濃度は０．１ｐｐｍであった。更に、有機物質として、ホルムアルデヒド、酢酸についても同様に個別に試験した。
【００６０】
表３はアセトアルデヒドの吸着量の試験結果を示す。表３に示すように、クレアチニンおよび炭酸ナトリウムの双方を活性炭に担持させた場合には、クレアチニンのみを活性炭に担持させた場合に比較して、吸着量が高く、約２．３倍（０．２７５／０．１１８≒２．３）であった。
【００６１】
【表３】
0005174326.tif 000008
表４はホルムアルデヒドの吸着量を示す。表４に示すように、クレアチニンおよび炭酸ナトリウムの双方を活性炭に担持させた場合には、クレアチニンのみを活性炭に担持させた場合に比較して、吸着量が約２．２倍（３．８２／１．７６≒２．２）であった。
【００６２】
【表４】
0005174326.tif 000009
表５は酢酸の吸着量を示す。表５に示すように、クレアチニンおよび炭酸ナトリウムの双方を活性炭に担持させた場合には、クレアチニンのみを活性炭に担持させた場合に比較して、吸着量が約３倍（６０．２／１９．７≒３）であった。このようにクレアチニンと塩基性物質とを併用して活性炭に担持させれば、アルデヒド類、酢酸等の臭気の要因となる有機物質を除去することができる。
【００６３】
【表５】
0005174326.tif 000010
（その他）
本発明は上記した実施形態、実施例のみに限定されるものではなく、要旨を逸脱しない範囲内で適宜変更して実施できる。発明の実施の形態、実施形態に記載の語句は一部であっても、請求項に記載できるものである。
【産業上の利用可能性】
【００６４】
本発明によれば、雰囲気に含まれているアルデヒド類等の臭気を除去する分野に適用することができる。
【図面の簡単な説明】
【００６５】
【図１】実施形態１に係る有機物質除去材の構成図である。
【図２】実施形態３に係る有機物質除去材の構成図である。
【図３】実施形態４に係る有機物質除去材の構成図である。
【図４】実施形態４に係る有機物質除去材の製造過程の一例を示す構成図である。
【図５】実施形態５に係る有機物質除去材の構成図である。
【図６】実施形態６に係る有機物質除去材の構成図である。
【符号の説明】
【００６６】
図中、１は有機物質除去材、２はシート、３は担体を示す。
【図１】
0005174326.tif 000011
【図２】
0005174326.tif 000012
【図３】
0005174326.tif 000013
【図４】
0005174326.tif 000014
【図５】
0005174326.tif 000015
【図６】
0005174326.tif 000016